(57)【要約】【課題】  共振による真偽判別又は機械読み取りが可能となる印刷物及びその読取装置を提供する。【解決手段】  有価証券又は旅券冊子等の貴重印刷物１に、光を回折する微小な凹凸を有する樹脂層５と前記樹脂層の凹凸面上に金属層７が含まれる一般的な箔から構成される光学的変化素子２を貼付し、読取装置１５の送受信用アンテナ１１に回路を構成した導電体を貼り付け、前記箔と前記導電体の回路は電気的に接続されていないが、共振回路を構成する。【選択図】図１
2006272815.tif 000002
【特許請求の範囲】
【請求項１】
印刷物上に、光を回折する微小な凹凸を有する樹脂層と、前記樹脂層の凹凸面上に設けられた金属層と、前記金属層面上に設けられた接着層とを有して構成される箔を、前記箔の接着層を前記印刷物の印刷面に貼付し、前記箔の凹凸に対応する導電体を用いた導電体回路を構成して前記箔を読み取る読取装置の送受信用アンテナに貼付し、前記印刷物上に貼付された箔と送受信用アンテナに貼付された導電体回路を重ね合わせて成ることにより、前記箔の凹凸と前記導電体回路とは電気的に接続されていない構造による共振回路を構成していることを特徴とする印刷物。
【請求項２】
印刷物上に、光を回折する微小な凹凸を有する樹脂層と、前記樹脂層の凹凸面上に設けられた金属層と、前記金属層面上に設けられた接着層と、前記樹脂層の凹凸面の裏側に保護層を有して構成される箔を、前記箔の接着層を前記印刷物の印刷面に貼付し、前記箔の凹凸に対応する導電体を用いた導電体回路を構成して前記箔を読み取る読取装置の送受信用アンテナに貼付し、前記印刷物上に貼付された箔と送受信用アンテナに貼付された導電体回路を重ね合わせて成ることにより、前記箔の凹凸と前記導電体の回路とは電気的に接続されていない構造による印刷物であって、前記印刷物上の箔の表面の保護層及び前記樹脂層を挟んでいる前記金属層と、前記導電体回路との間で二つのコンデンサを形成し、前記樹脂層の凹凸面上の金属層又は前記導電体回路にコイルのパターンを形成し、前記二つのコンデンサとコイルパターンにより共振回路を構成することを特徴とする印刷物。
【請求項３】
前記印刷物は、前記樹脂層の凹凸面上に金属層を有することにより、色の変化や図柄の変化が観察され、前記接着層下の印刷物の形状の認識が困難であることを特徴とする請求項１又は２記載の印刷物。
【請求項４】
基材上に、導電体インキを用いて印刷により回路を構成した印刷回路を設け、前記印刷回路に対応する回路を導電体及び誘電体を用いて構成して前記印刷回路を読み取る読取装置の送受信用アンテナ貼付し、前記基材上の印刷回路と送受信用アンテナに貼付された導電体及び誘電体回路を合わせて成ることにより、前記基材上の印刷回路と前記導電体及び誘電体の回路とは電気的に接続されていない構成による共振回路を構成していることを特徴とする印刷物。
【請求項５】
基材上に、導電体インキを用いて印刷により回路を構成した印刷回路を設け、前記印刷回路に対応する回路を導電体及び誘電体を用いて構成して前記印刷回路を読み取る読取装置の送受信用アンテナに貼付し、前記基材上の印刷回路と送受信用アンテナに貼付された導電体及び誘電体回路を重ね合わせて成ることにより、前記基材上の印刷回路と前記導電体及び誘電体の回路とは電気的に接続されていない構造による印刷物であって、前記基材上の印刷回路と前記送受信用アンテナに貼付された導電体及び誘電体回路との間で二つのコンデンサを形成し、前記基材上の印刷回路又は送受信用アンテナに貼付された導電体及び誘電体回路にコイルのパターンを形成し、二つのコンデンサとコイルパターンにより共振回路を構成することを特徴とする印刷物。
【請求項６】
前記印刷物は、特定周波数の電波に対して共振することにより、真偽判別又は機械読み取りによる共振周波数の判別が可能となることを特徴とする請求項１乃至５のいずれか記載の印刷物。
【請求項７】
請求項１乃至６のいずれか記載の印刷物の読取装置であって、
ＣＰＵによって、前記電気的に接続されていない印刷物が、共振する周波数の電波を送信するタイミングを制御するタイミング制御部と、
送信アンプを介して電波を送信する送信アンテナと、
前記電波を受信する受信アンテナと、
前記受信アンテナにより受信アンプを介して前記受信した電波を入力する受信制御部と、
前記タイミング制御部からの信号を基に受信信号成分を出力し、Ａ／Ｄ変換部を介して前記ＣＰＵに入力され、
前記印刷物の二つのコンデンサとコイルパターンによって、特定周波数の電波に対する共振を生じる共振回路の存在の有無及び共振周波数を判定し、印刷物の真偽判別又は機械読み取りによる共振周波数の判別を行うことを特徴とする印刷物の読取装置。
【発明の詳細な説明】
【技術分野】
【０００１】
本発明は、印刷物及びその読取装置に関する。特に、有価証券又は旅券冊子等の貴重印刷物に、偽変造の抑制効果を付与するため、機械読み取り時に共振タグ機能を有する印刷物及びその読取装置に関するものである。
【背景技術】
【０００２】
有価証券又は旅券冊子等の貴重印刷物に、真偽判別、券種判別、偽変造の抑制効果を付与するために光学的変化素子が貼付されている。これらの光学的変化素子の一部には機械読み取りの対応のため、光学的変化素子内に通常光では不可視の情報や、適切な方向に回折光が得られるかによって判別する手法等が行われている。
【０００３】
また、一般的なＬＣ共振回路の構造としては、コイルとコンデンサパターンを有する上層シートと同様にコイルとコンデンサパターンを有する下層シート間を導通部で導通させるようにした、共振ラベルが提案されている（例えば、特許文献１参照）。しかし、この場合は、単純なＬＣ共振回路であり、ホログラムは脆性シールの用途として用いられていて、回路の一部として使用されているのではない。
【０００４】
【特許文献１】特開２００１−１３４７３３号公報
【発明の開示】
【発明が解決しようとする課題】
【０００５】
光学的変化素子の機械読み取りには、レーザを照射し、光学的変化素子に照射され回折した光をセンサで読み取るのが一般的であり、その光学的変化素子が付与されている有価証券又は旅券冊子等の貴重印刷物が流通や取り扱い上で損傷した場合、光学的変化素子に凹凸や折れが生じてしまうため、その読み取りが困難になるという問題がある。
【０００６】
また、共振機能を有する素子を貴重印刷物に付与する場合、ＬＣ共振回路を構成するコイルとコンデンサの両方の機能が求められ、また、共振機能を有する素子を用紙に付与するためには新たな設備が必要となる。
【０００７】
そこで、本発明は上記問題に鑑み、上述したような一般的な共振機能を得るための電気的な接続を不要とし、光を回折する微小な凹凸を有する樹脂層と前記樹脂層の凹凸面上に金属層が含まれる一般的な箔又は導電体インキを用いて印刷した回路を付与した印刷物とし、読取装置の送受信用アンテナに導電体を用いた回路を貼り付けた構成としたものとを重ね合わせることで回路を構成し、共振による機械読み取りが可能となる印刷物及びその読取装置を提供することを目的とする。
【課題を解決するための手段】
【０００８】
本発明は、前述した課題を解決させるためになされたものであり、本発明の印刷物は、印刷物上に、光を回折する微小な凹凸を有する樹脂層と、前記樹脂層の凹凸面上に設けられた金属層と、前記金属層面上に設けられた接着層とを有して構成される箔を、前記箔の接着層を前記印刷物の印刷面に貼付し、前記箔の凹凸に対応する導電体を用いた導電体回路を構成して前記箔を読み取る読取装置の送受信用アンテナに貼付し、前記印刷物上の箔と送受信用アンテナに貼付された導電体回路とを重ね合わせて成ることにより、前記箔の凹凸と前記導電体の回路とは電気的に接続されていない構造による共振回路を構成していることを特徴としている。
【０００９】
本発明の印刷物は、印刷物上に、光を回折する微小な凹凸を有する樹脂層と、前記樹脂層の凹凸面上に設けられた金属層と、前記金属層面上に設けられた接着層と、前記樹脂層の凹凸面の裏側に保護層を有して構成される箔を、前記箔の接着層を前記印刷物の印刷面に貼付し、前記箔の凹凸に対応する導電体を用いた導電体回路を構成して前記箔を読み取る読取装置の送受信用アンテナに貼付し、前記印刷物上の箔と送受信用アンテナに貼付された導電体回路とを重ね合わせて成ることにより、前記箔の凹凸と前記導電体の回路とは電気的に接続されていない構造による印刷物であって、前記印刷物上の箔の表面の保護層及び前記樹脂層を挟んでいる前記金属層と、前記導電体回路との間で二つのコンデンサを形成し、前記樹脂層の凹凸面上の金属層又は前記導電体回路にコイルのパターンを形成し、前記二つのコンデンサとコイルパターンにより共振回路を構成することを特徴としている。
【００１０】
本発明の印刷物は、前記樹脂層の凹凸面上に金属層を有することにより、色の変化や図柄の変化が観察され、前記接着層下の印刷物の形状の認識が困難となる。
【００１１】
本発明の印刷物は、基材上に、導電体インキを用いて印刷により回路を構成した印刷回路を設け、前記印刷回路に対応する回路を導電体及び誘電体を用いて構成して前記印刷回路を読み取る読取装置の送受信用アンテナ貼付し、前記基材上の印刷回路と送受信用アンテナに貼付された導電体及び誘電体回路とを重ね合わせて成ることにより、前記基材上の印刷回路と前記導電体及び誘電体回路とは電気的に接続されていない構成による共振回路を構成していることを特徴としている。
【００１２】
本発明の印刷物は、基材上に、導電体インキを用いて印刷により回路を構成した印刷回路を設け、前記印刷回路に対応する回路を導電体及び誘電体を用いて構成して前記印刷回路を読み取る読取装置の送受信用アンテナに貼付し、前記基材上の印刷回路と送受信用アンテナに貼付された導電性及び誘電性回路とを重ね合わせて成ることにより、前記基材上の印刷回路と前記導電体及び誘電体回路とは電気的に接続されていない構造による印刷物であって、前記基材上の印刷回路と前記送受信用アンテナに貼付された導電体及び誘電体回路との間で二つのコンデンサを形成し、前記基材上の印刷回路又は送受信用アンテナに貼付された導電体及び誘電体回路にコイルのパターンを形成し、二つのコンデンサとコイルパターンにより共振回路を構成することを特徴としている。
【００１３】
本発明の印刷物は、特定周波数の電波に対して共振することにより、真偽判別又は機械読み取りによる共振周波数の判別が可能となる。
【００１４】
本発明の印刷物の読取装置であって、ＣＰＵによって、前記電気的に接続されていない印刷物が、共振する周波数の電波を送信するタイミングを制御するタイミング制御部と、送信アンプを介して電波を送信する送信アンテナと、前記電波を受信する受信アンテナと、前記受信アンテナにより受信アンプを介して前記受信した電波を入力する受信制御部と、前記タイミング制御部からの信号を基に受信信号成分を出力し、Ａ／Ｄ変換部を介して前記ＣＰＵに入力され、前記印刷物の二つのコンデンサとコイルパターンによって、特定周波数の電波に対する共振を生じる共振回路の存在の有無及び共振周波数を判定し、印刷物の真偽判別又は機械読み取りによる共振周波数の判別を行うことを特徴としている。
【発明の効果】
【００１５】
本発明の印刷物及びその読取装置によれば、上層シートにコンデンサ２つとコイルまたはコンデンサ２つのみを有することで、上層シートと下層シート間を導通させることなくＬＣ回路を構成しているので、現在、機械読み取り機能が普及していない、用紙に付与された光学的変化素子を、読取装置の送受信用アンテナ側に導電体回路を貼り付けるだけで、または、導電体印刷を行った用紙を、読取装置の送受信用アンテナ側に導電体印刷を行った用紙を貼り付けるだけで、共振タグ機能を付与でき、機械読み取りによる真偽判別又は機械読み取りによる共振周波数の判別が可能となる。
【発明を実施するための最良の形態】
【００１６】
本発明に係る印刷物及びその読取装置の実施の形態を実施例に基づいて図面を参照して説明する。本実施例で用いる一般的な箔の構成は、樹脂層と、前記樹脂層面上に金属層を有し、前記金属層面上に接着層を有して構成される。読取装置の送受信用アンテナに導電体を用いた回路を貼り付け、前記箔に送受信用アンテナに貼付された導電体回路を重ねることにより、前記金属層または導電体層と前記送受信用アンテナの導電体層に挟まれた非導電体層によってコンデンサが２つ、コイルが１つのＬＣ回路を構成することにより、層間の電気的な接続が不要であり、共振により機械読み取りが可能となる。
本発明において、導電体を用いた回路とは、導電性塗料又はインキを用いて印刷して構成したものである。
【００１７】
箔を構成している前記樹脂層は、ホログラム等の回折格子状パターンを熱と圧力によって型押し成形が可能な樹脂であり、この回折格子状パターンによって、本実施例の印刷物が光学的に色や図柄が変化して見える。この樹脂層の厚みは数μｍ〜数十μｍ程度が望ましい。
【００１８】
金属層は上記樹脂層の凹凸面上に設けられており、光学的変化素子の本来の色や模様が変化する効果はそのまま得られており、この金属層は一般的にアルミニウム等が用いられる。
【００１９】
前記金属層と読取装置の送受信用アンテナに貼り付けている前記導電体は、箔の保護層及び樹脂層に挟まれた非導電体層からなるコンデンサが２つ、コイルが１つのＬＣ回路を構成することにより、または、前記導電体と読取装置の送受信用アンテナに貼り付けている前記導電体及び誘電体は、誘電体に挟まれた非導電体層によってコンデンサが２つ、コイルが１つのＬＣ回路を構成することにより、共振するものであり、金属層の回路は、コイルの線幅を０．５〜２．０ｍｍ、ピッチを０．５〜２．０ｍｍ、コンデンサは、２つのコンデンサとも５０〜４００ｍｍ２、また、導電体層の回路は、２つのコンデンサとも５０〜４００ｍｍ２が望ましい。
【００２０】
前記金属層と前記導電体層のコンデンサ部分は、同位置に密着させることにより、コンデンサの機能をなすものである。
【００２１】
さらに、金属層の回路部分の周辺にも金属層を残すことで、導電体層の回路を隠蔽することができる。本実施例を読取装置を含めて以下に詳細に説明する。
【００２２】
（実施例）  以下、図面に基づいて本発明の印刷物及びその読取装置について詳細に説明をする。本発明は、本実施例に限定されるものではなく、導電体層の形状や誘電体層の厚みによって、本発明の印刷物の真偽判別あるいは機械読み取りに用いる電波の周波数を任意に設定可能である。
【００２３】
図１、２は本実施例を説明する図であり、有価証券又は旅券冊子等の貴重印刷物１に光学的変化素子２の貼付又は導電体印刷３がなされているものである。図１は、有価証券又は旅券冊子等の貴重印刷物１に、光学的変化素子２を貼付したものであり、図２は、有価証券又は旅券冊子等の貴重印刷物１に、導電体塗料またはインキで印刷３をしたものである。
【００２４】
図３（ａ）は、図１のａ−ａ’の断面図に読取装置の送受信用アンテナ及び導電体を用いた回路を貼り付けた断面を示す図である。貴重印刷物１側の構成は、光学的変化素子２の表面から保護層４、エンボス層５、エンボス面６、金属層７、接着層８及び用紙９であり、読取装置１５側は、貴重印刷物１に接触する面から、導電体１０、送受信用アンテナ１１である。
【００２５】
図３（ｂ）は、図２のｂ−ｂ’の断面図に読取装置の送受信用アンテナ及び導電体を用いた回路及び誘電体を貼り付けた断面を示す図である。貴重印刷物１側は、用紙９に回路状に印刷された導電体１２であり、読取装置１５側は、貴重印刷物１に接触する面から、誘電体１４、導電体を用いた回路１３、送受信用アンテナ１１である。
【００２６】
図４は、金属層７の回路を示す図である。コイルの外側にあるコンデンサ１６とコイルの内側にあるコンデンサ１７間を導線１８で接続している。金属層７は、エンボス層５のエンボス面６上に塗布、蒸着または印刷等の方法により形成し、回路を構成するために必要な場合はさらに印刷及びエッチング処理を行う。また、金属層の回路の周辺にもコイル及びコンデンサを隠蔽するように金属層１９を残し、さらにその周辺にも微小文字あるいは微細画線等２０を施す。
【００２７】
図５（ａ）は、導電体回路を示す図である。コイルの外側にあるコンデンサ１６とコイルの内側にあるコンデンサ１７間をコイル２１で接続している。
【００２８】
図５（ｂ）は、導電体回路を示す図である。コイルの外側にあるコンデンサ１６とコイルの内側にあるコンデンサ１７間を導線１８で接続している。
【００２９】
図５（ａ）の導電体回路は、コイルパターン２１の半径を約２６ｍｍ、巻き数を４巻き、コイルの線幅を約１．０ｍｍ、ピッチを約０．５ｍｍで形成した。また、コンデンサは、コイルの外側にあるコンデンサ１６とコイルの内側にあるコンデンサ１７とも約１２６ｍｍ２で形成した。
図５（ｂ）の導電体回路は、コイルの外側にあるコンデンサ１６とコイルの内側にあるコンデンサ１７とも約１２６ｍｍ２で形成した。
【００３０】
上記の構成とした場合、約４１ＭＨｚの周波数の電波によって共振が可能であった。
【００３１】
図６は、本実施例の貴重印刷物の読取装置の一構成例を示すものである。ＣＰＵ２２によって本実施例の貴重印刷物に貼付された光学的変化素子、または導電体印刷がなされた印刷物が共振する周波数の電波を送信するタイミングを制御し、送信アンプ２４を介し、送信用アンテナ２５より電波を送信する。
【００３２】
受信は受信アンテナ２６によって行われ、受信アンプ２７を介して、受信制御部２８に入力され、タイミング制御部２３からの信号を基に受信信号成分が出力される。その信号はＡ／Ｄ変換部２９を介してＣＰＵ２２に入力され、共振回路が存在するかしないかを判定する。判定結果はＣＰＵに接続されたスピーカや発光素子によって、操作する者に知らせる等の方法をとることも可能である。
【図面の簡単な説明】
【００３３】
【図１】本発明に係る印刷物の一実施例の図である。
【図２】本発明に係る印刷物の一実施例の図である。
【図３】図１のａ−ａ’及び図２のｂ−ｂ’の断面を示す図、読取装置の送受信用アンテナ及び導電体を用いた回路を貼り付けた断面を示す図である。
【図４】図１の金属層の回路を示す図である。
【図５】本実施例のコイルとコンデンサの回路を導電体を用いて構成した図である。
【図６】本発明に係る印刷物の読取装置の一実施例の構成図である。
【符号の説明】
【００３４】
１  貴重印刷物
２  光学的変化素子
３  導電体印刷
４  保護層
５  エンボス層
６  エンボス面
７  金属層
８  接着層
９  用紙
１０  導電体を用いた回路
１１  送受信アンテナ
１２  用紙に回路状に印刷された導電体
１３  導電体を用いた回路
１４  誘電体
１５  読み取り装置
１６  コイルの外側にあるコンデンサ
１７  コイルの内側にあるコンデンサ
１８  導線
１９  金属層
２０  微小文字、微細画線部
２１  コイル
２２  ＣＰＵ
２３  タイミング制御部
２４  送信アンプ
２５  送信アンテナ
２６  受信アンテナ
２７  受信アンプ
２８  受信制御部
２９  Ａ／Ｄ変換部
【図１】
2006272815.tif 000003
【図２】
2006272815.tif 000004
【図３】
2006272815.tif 000005
【図４】
2006272815.tif 000006
【図５】
2006272815.tif 000007
【図６】
2006272815.tif 000008